【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
移動体の移動履歴情報を取得する移動履歴情報取得手段と、
前記移動体の使用者の自宅位置情報を取得する自宅位置情報取得手段と、
前記移動履歴情報と前記自宅位置情報を関連付けて記憶する記憶手段と、
情報要求端末から施設情報を取得する施設情報取得手段と、
前記移動履歴情報と前記自宅位置情報に基づいて、前記施設情報に対応する施設を訪問した前記使用者の自宅位置に関する統計情報を生成する統計情報生成手段と、
前記統計情報を前記情報要求端末に提供する統計情報提供手段と、
を備える情報提供システム。
【請求項２】
前記移動履歴情報に基づいて、前記移動体が滞在した位置を含む滞在情報を生成する滞在情報生成手段を更に備え、
前記記憶手段は、前記滞在情報と前記自宅位置情報とを更に関連付けて記憶し、
前記統計情報生成手段は、前記施設の位置を含む前記滞在情報を特定し、当該滞在情報に関連付けられた前記自宅位置情報に基づいて、前記統計情報を生成することを特徴とする請求項１に記載の情報提供システム。
【請求項３】
前記滞在情報生成手段が生成した前記滞在情報に基づいて、前記自宅位置情報を生成する自宅位置情報生成手段を更に備え、
前記自宅位置情報取得手段は、前記自宅位置情報生成手段が生成した前記自宅位置情報を取得することを特徴とする請求項２に記載の情報提供システム。
【請求項４】
前記統計情報生成手段は、地域ごとの人口の偏りに基づいて前記統計情報を補正することを特徴とする請求項１乃至３のいずれか一項に記載の情報提供システム。
【請求項５】
前記統計情報生成手段は、前記移動体をルート案内するために設定された目的地を取得し、前記目的地に基づいて前記使用者が訪問した施設を特定し、特定した前記施設に基づいて前記統計情報を生成することを特徴とする請求項１乃至４のいずれか一項に記載の情報提供システム。
【請求項６】
前記施設情報取得手段は、複数の前記施設についての施設情報を取得し、
前記統計情報生成手段は、前記複数の施設についての前記統計情報を生成して、生成した前記複数の施設についての前記統計情報の比較結果を生成し、
前記統計情報提供手段は、前記統計情報の比較結果を、前記情報要求端末に提供することを特徴とする請求項１乃至５のいずれか一項に記載の情報提供システム。
【請求項７】
前記統計情報生成手段は、前記複数の施設をグループ化し、グループごとに前記統計情報を生成して、生成した前記グループごとの前記統計情報の比較結果を生成することを特徴とする請求項６に記載の情報提供システム。
【請求項８】
請求項１乃至７のいずれか一項に記載の情報提供システムと情報の授受を行う情報要求端末であって、
所定の施設についての施設情報を前記情報提供システムに提供する施設情報提供手段と、
前記施設情報提供手段が提供した前記施設情報に応じて前記情報提供システムの統計情報提供手段が提供した統計情報を取得する統計情報取得手段と、
前記統計情報取得手段が取得した前記統計情報を表示手段に表示させる表示制御手段と、
を備えることを特徴とする情報要求端末。
【請求項９】
情報提供システムと情報要求端末とを有する情報処理システムであって、
前記情報提供システムは、
移動体の移動履歴情報を取得する移動履歴情報取得手段と、
前記移動体の使用者の自宅位置情報を取得する自宅位置情報取得手段と、
前記移動履歴情報と前記自宅位置情報を関連付けて記憶する記憶手段と、
情報要求端末から施設情報を取得する施設情報取得手段と、
前記移動履歴情報と前記自宅位置情報に基づいて、前記施設情報に対応する施設を訪問した前記使用者の自宅位置に関する統計情報を生成する統計情報生成手段と、
前記統計情報を前記情報要求端末に提供する統計情報提供手段と、
を備え、
前記情報要求端末は、
前記所定の施設についての施設情報を前記情報提供システムに提供する施設情報提供手段と、
前記施設情報提供手段が提供した前記施設情報に応じて前記情報提供システムの前記統計情報提供手段が提供した前記統計情報を取得する統計情報取得手段と、
前記統計情報取得手段が取得した前記統計情報を表示手段に表示させる表示制御手段と、
を備えることを特徴とする情報処理システム。
【請求項１０】
情報提供システムによって実行される制御方法であって、
移動体の移動履歴情報を取得する移動履歴情報取得工程と、
前記移動体の使用者の自宅位置情報を取得する自宅位置情報取得工程と、
前記移動履歴情報と前記自宅位置情報を関連付けて記憶する記憶工程と、
情報要求端末から施設情報を取得する施設情報取得工程と、
前記移動履歴情報と前記自宅位置情報に基づいて、前記施設情報に対応する施設を訪問した前記使用者の自宅位置に関する統計情報を生成する統計情報生成工程と、
前記統計情報を前記情報要求端末に提供する統計情報提供工程と、
を備えることを特徴とする制御方法。
【請求項１１】
コンピュータを有する情報提供システムによって実行されるプログラムであって、
前記コンピュータを、
移動体の移動履歴情報を取得する移動履歴情報取得手段、
前記移動体の使用者の自宅位置情報を取得する自宅位置情報取得手段、
前記移動履歴情報と前記自宅位置情報を関連付けて記憶する記憶手段、
情報要求端末から施設情報を取得する施設情報取得手段、
前記移動履歴情報と前記自宅位置情報に基づいて、前記施設情報に対応する施設を訪問した前記使用者の自宅位置に関する統計情報を生成する統計情報生成手段、
前記統計情報を前記情報要求端末に提供する統計情報提供手段、
として機能させることを特徴とするプログラム。
【請求項１２】
請求項１乃至７のいずれか一項に記載の情報提供システムと情報の授受を行う情報要求端末によって実行される制御方法であって、
所定の施設についての施設情報を前記情報提供システムに提供する施設情報提供工程と、
前記施設情報提供工程が提供した前記施設情報に応じて前記情報提供システムの統計情報提供手段が提供した統計情報を取得する統計情報取得工程と、
前記統計情報取得工程が取得した前記統計情報を表示手段に表示させる表示制御工程と、
を備えることを特徴とする制御方法。
【請求項１３】
請求項１乃至７のいずれか一項に記載の情報提供システムと情報の授受を行う、コンピ
ュータを有する情報要求端末によって実行されるプログラムであって、
前記コンピュータを、
所定の施設についての施設情報を前記情報提供システムに提供する施設情報提供手段、
前記施設情報提供手段が提供した前記施設情報に応じて前記情報提供システムの統計情報提供手段が提供した統計情報を取得する統計情報取得手段、
前記統計情報取得手段が取得した前記統計情報を表示手段に表示させる表示制御手段、
として機能させることを特徴とするプログラム。
【手続補正２】
【補正対象書類名】明細書
【補正対象項目名】０００６
【補正方法】変更
【補正の内容】
【０００６】
請求項に記載の発明では、情報提供システムは、移動体の移動履歴情報を取得する移動履歴情報取得手段と、前記移動体の使用者の自宅位置情報を取得する自宅位置情報取得手段と、前記移動履歴情報と前記自宅位置情報を関連付けて記憶する記憶手段と、情報要求端末から施設情報を取得する施設情報取得手段と、前記移動履歴情報と前記自宅位置情報に基づいて、前記施設情報に対応する施設を訪問した前記使用者の自宅位置に関する統計情報を生成する統計情報生成手段と、前記統計情報を前記情報要求端末に提供する統計情報提供手段と、を備える。
【手続補正３】
【補正対象書類名】明細書
【補正対象項目名】０００８
【補正方法】変更
【補正の内容】
【０００８】
また、請求項に記載の発明では、報提供システムと情報要求端末とを有する情報処理システムであって、前記情報提供システムは、移動体の移動履歴情報を取得する移動履歴情報取得手段と、前記移動体の使用者の自宅位置情報を取得する自宅位置情報取得手段と、前記移動履歴情報と前記自宅位置情報を関連付けて記憶する記憶手段と、情報要求端末から施設情報を取得する施設情報取得手段と、前記移動履歴情報と前記自宅位置情報に基づいて、前記施設情報に対応する施設を訪問した前記使用者の自宅位置に関する統計情報を生成する統計情報生成手段と、前記統計情報を前記情報要求端末に提供する統計情報提供手段と、を備え、前記情報要求端末は、前記所定の施設についての施設情報を前記情報提供システムに提供する施設情報提供手段と、前記施設情報提供手段が提供した前記施設情報に応じて前記情報提供システムの前記統計情報提供手段が提供した前記統計情報を取得する統計情報取得手段と、前記統計情報取得手段が取得した前記統計情報を表示手段に表示させる表示制御手段と、を備えることを特徴とする。
【手続補正４】
【補正対象書類名】明細書
【補正対象項目名】０００９
【補正方法】変更
【補正の内容】
【０００９】
また、請求項に記載の発明では、情報提供システムによって実行される制御方法は、移動体の移動履歴情報を取得する移動履歴情報取得工程と、前記移動体の使用者の自宅位置情報を取得する自宅位置情報取得工程と、前記移動履歴情報と前記自宅位置情報を関連付けて記憶する記憶工程と、情報要求端末から施設情報を取得する施設情報取得工程と、前記移動履歴情報と前記自宅位置情報に基づいて、前記施設情報に対応する施設を訪問した前記使用者の自宅位置に関する統計情報を生成する統計情報生成工程と、前記統計情報を前記情報要求端末に提供する統計情報提供工程と、を備えることを特徴とする。
【手続補正５】
【補正対象書類名】明細書
【補正対象項目名】００１０
【補正方法】変更
【補正の内容】
【００１０】
また、請求項に記載の発明では、コンピュータを有する情報提供システムによって実行されるプログラムは、前記コンピュータを、移動体の移動履歴情報を取得する移動履歴情報取得手段、前記移動体の使用者の自宅位置情報を取得する自宅位置情報取得手段、前記移動履歴情報と前記自宅位置情報を関連付けて記憶する記憶手段、情報要求端末から施設情報を取得する施設情報取得手段、前記移動履歴情報と前記自宅位置情報に基づいて、前記施設情報に対応する施設を訪問した前記使用者の自宅位置に関する統計情報を生成する統計情報生成手段、前記統計情報を前記情報要求端末に提供する統計情報提供手段、として機能させることを特徴とする。